(57)【特許請求の範囲】
【請求項１】
回動中心となる軸部と、実質的に排気ガスの流量を調節する翼部とを具え、
エンジンから排出された比較的少ない排気ガスを適宜絞り込み、排気ガスの速度を増幅させ、排気ガスのエネルギで排気タービンを回し、この排気タービンに直結されたコンプレッサで自然吸気以上の空気をエンジンに送り込み、低速回転時であってもエンジンが高出力を発揮できるようにしたＶＧＳタイプのターボチャージャに組み込まれる可変翼を製造するにあたり、その工程は、
ほぼ一定の板厚を有した金属材から、目的の可変翼を実現し得るボリュームを有するように打ち抜かれたブランク材を、可変翼の原形である素形材とする、素形材の準備工程と、
上記素形材を一対の対向型によって挟み込み、翼部や軸部等を所望の形状に形成する造形工程とを少なくとも具えて成り、
また翼部は、前縁側が肉厚状を成すとともに、後縁側が肉薄状の翼形断面を成すものであり、
更に前記素形材の準備工程においてブランク取りを行うにあたっては、
肉厚の前縁側については、前縁部のほぼ真ん中に肉寄せ凹部を形成し、その後の造形加工の際に、両端部の肉が寄ってきて最終的に埋まるようにするとともに、
肉薄の後縁側については、両端側に肉流し用の凹みを有し、翼幅よりも充分狭いテーパ状に形成し、その後の造形の際に、肉が全体的に延展し、後縁先端側が所望の翼幅を形成する平面形状に、翼部をブランク取りするようにしたことを特徴とするＶＧＳタイプターボチャージャにおける可変翼の製造方法。
【請求項２】
前記素形材の準備工程と造形工程とは、加工途中の素形材を金属板材の一部に対して対向的につないだまま順送りするプログレッシブ加工によって行うものであり、また金属板材の一部に対向的につなげる素形材については、肉厚の前縁側と、肉薄の後縁側とを点対称状態に配し、送り方向に対して互いに異なる端縁を向けるようにし、この状態でブランク取りを行うようにしたことを特徴とする請求項１記載のＶＧＳタイプターボチャージャにおける可変翼の製造方法。
【請求項３】
前記可変翼は、翼部の両側に長軸部と短軸部とを有する両軸タイプのものであり、更に翼部と軸部との間には、ブランク材の板厚よりも大径の鍔部が形成されることを特徴とする請求項１または２記載のＶＧＳタイプターボチャージャにおける可変翼の製造方法。
【請求項４】
前記素形材の準備工程においてブランク取りを行うにあたっては、金属板材につながれる素形材のピッチＬ１を、完成品状態の可変翼の翼弦長Ｌに、極力近づけた状態でブランク取りするようにしたことを特徴とする請求項２または３記載のＶＧＳタイプターボチャージャにおける可変翼の製造方法。
【発明の詳細な説明】
【技術分野】
【０００１】
本発明は、自動車用エンジン等に用いられるターボチャージャに関するものであって、特に、このものに組み込まれる両軸タイプの可変翼を製造するにあたり、このような可変翼の形状等に特化した能率的な量産手法を現実的なものとする新規な製造手法に係るものである。
【背景技術】
【０００２】
自動車用エンジンの高出力化、高性能化の一手段として用いられる過給機としてターボチャージャが知られており、このものはエンジンの排気エネルギによってタービンを駆動し、このタービンの出力によってコンプレッサを回転させ、エンジンに自然吸気以上の過給状態をもたらす装置である。ところで、このターボチャージャは、エンジンが低速回転しているときには、排気流量の低下により排気タービンがほとんど働かず、従って高回転域まで回るエンジンにあってはタービンが効率的に回るまでのもたつき感と、その後の一挙に吹き上がるまでの所要時間いわゆるターボラグ等が生ずることを免れないものであった。また、もともとエンジン回転が低いディーゼルエンジンでは、ターボ効果を得にくいという欠点があった。
【０００３】
このため低回転域からでも効率的に作動するＶＧＳタイプのターボチャージャ（ＶＧＳユニット）が開発されてきている。このものは、少ない排気流量を可変翼（羽）で絞り込み、排気の速度を増し、排気タービンの仕事量を大きくすることで、低速回転時でも高出力を発揮できるようにしたものである。このためＶＧＳユニットにあっては、別途可変翼の可変機構等を必要とし、周辺の構成部品も従来のものに比べて形状等をより複雑化させなければならなかった。
【０００４】
このようなことから本出願人も、可変翼やその可変機構等に関し、鋭意研究開発を重ね、多くの特許出願に至っている（例えば特許文献１〜８参照）。この特許文献では、可変翼は、例えば一定厚さの金属板材から打ち抜いたブランク材を、型鍛造によりプレス成形して所望の形状に造形する製造手法が開示されている。また、この特許文献では、可変翼は、主に翼部の一方の端部のみに軸部が形成された、いわゆる片持ち構造が主流となっている。しかしながら、可変翼は、翼部を適宜回動させて排気ガスの流量を調節するものであり、しかも高温・排気ガス雰囲気下で開閉作動が繰り返されるため、強度及び作動安定性等を向上させ、且つＶＧＳユニット自体の軽量・小型化を図る点では両持ち、つまり翼部の両側に軸部が形成されたタイプが望ましい。このため現在では、可変翼は、このような両軸タイプのものも重用されつつあり、このような可変翼の形状等の変容に伴い、その製造手法も見直されてきている。なかでも、本発明は、可変翼を能率的に製造すべく、造形加工の際の材料流れを考慮したブランク取りに着眼したものである。
【０００５】
加えて、この種の可変翼は、一基のターボチャージャにおいて１０〜１５個程度用いられることが多く、例えば実際に自動車が月産３万台程度、量産された場合には、可変翼は月に３０万〜４５万個製造する必要があり、現実に量産体制が採り得る製造手法が大前提とされている。
また近年、特にディーゼル車においては、環境保護等の観点から大気中に放出される排気ガスが強く規制される現状にあり、元来エンジン回転が低いディーゼルエンジンにおいては、ＮＯX や粒子状物質（ＰＭ）等を低減するためにも低回転域からエンジンの効率化が図れるＶＧＳユニットの量産化が、切望されるものであった。
【特許文献１】特開２００３−４９６５５号公報
【特許文献２】特開２００３−４９６６３号公報
【特許文献３】特開２００３−４９６５６号公報
【特許文献４】特開２００３−４９６５７号公報
【特許文献５】特開２００３−４９６５８号公報
【特許文献６】特開２００３−４９６５９号公報
【特許文献７】特開２００３−４８０３３号公報
【特許文献８】特開２００３−４９６６０号公報
【発明の開示】
【発明が解決しようとする課題】
【０００６】
本発明は、このような背景を認識してなされたものであって、両軸タイプの可変翼を量産するにあたり、造形工程における材料流れを考慮するとともに材料の歩留りを向上させ得る新規なブランク取りを試み、可変翼を常に安定した高い品質レベルと量産性及び経済性をもって実現できるようにした新規な製造手法の開発を試みたものである。
【課題を解決するための手段】
【０００７】
すなわち請求項１記載のＶＧＳタイプターボチャージャにおける可変翼の製造方法は、
回動中心となる軸部と、実質的に排気ガスの流量を調節する翼部とを具え、
エンジンから排出された比較的少ない排気ガスを適宜絞り込み、排気ガスの速度を増幅させ、排気ガスのエネルギで排気タービンを回し、この排気タービンに直結されたコンプレッサで自然吸気以上の空気をエンジンに送り込み、低速回転時であってもエンジンが高出力を発揮できるようにしたＶＧＳタイプのターボチャージャに組み込まれる可変翼を製造するにあたり、その工程は、
ほぼ一定の板厚を有した金属材から、目的の可変翼を実現し得るボリュームを有するように打ち抜かれたブランク材を、可変翼の原形である素形材とする、素形材の準備工程と、
上記素形材を一対の対向型によって挟み込み、翼部や軸部等を所望の形状に形成する造形工程とを少なくとも具えて成り、
また翼部は、前縁側が肉厚状を成すとともに、後縁側が肉薄状の翼形断面を成すものであり、
更に前記素形材の準備工程においてブランク取りを行うにあたっては、
肉厚の前縁側については、前縁部のほぼ真ん中に肉寄せ凹部を形成し、その後の造形加工の際に、両端部の肉が寄ってきて最終的に埋まるようにするとともに、
肉薄の後縁側については、両端側に肉流し用の凹みを有し、翼幅よりも充分狭いテーパ状に形成し、その後の造形の際に、肉が全体的に延展し、後縁先端側が所望の翼幅を形成する平面形状に、翼部をブランク取りするようにしたことを特徴として成るものである。
【０００８】
また請求項２記載のＶＧＳタイプターボチャージャにおける可変翼の製造方法は、前記請求項１記載の要件に加え、前記素形材の準備工程と造形工程とは、加工途中の素形材を金属板材の一部に対して対向的につないだまま順送りするプログレッシブ加工によって行うものであり、また金属板材の一部に対向的につなげる素形材については、肉厚の前縁側と、肉薄の後縁側とを点対称状態に配し、送り方向に対して互いに異なる端縁を向けるようにし、この状態でブランク取りを行うようにしたことを特徴として成るものである。
【０００９】
更にまた請求項３記載のＶＧＳタイプターボチャージャにおける可変翼の製造方法は、前記請求項１または２記載の要件に加え、前記可変翼は、翼部の両側に長軸部と短軸部とを有する両軸タイプのものであり、更に翼部と軸部との間には、ブランク材の板厚よりも大径の鍔部が形成されることを特徴として成るものである。
【００１０】
また請求項４記載のＶＧＳタイプターボチャージャにおける可変翼の製造方法は、前記請求項２または３記載の要件に加え、前記素形材の準備工程においてブランク取りを行うにあたっては、金属板材につながれる素形材のピッチＬ１を、完成品状態の可変翼の翼弦長Ｌに、極力近づけた状態でブランク取りするようにしたことを特徴として成るものである。
【発明の効果】
【００１１】
これら各請求項記載の発明の構成を手段として前記課題の解決が図られる。
すなわち請求項１記載の発明によれば、ブランク取りの際に、その後に行う造形工程の材料流れを充分考慮した翼部形状で予めブランク取りするため、造形加工が円滑に行えるとともに、造形加工において狙った形状を忠実に実現できる。
【００１２】
また請求項２記載の発明によれば、金属板材の一部に素形材をつなげてブランク取りするにあたり、肉厚の前縁と、肉薄の後縁とを、送り方向に対して互い違い状になるように配置するため、各対向型の圧縮によって素形材に作用する逃げ（あばれ）を極力抑えることができ、対向型に対する加工位置を安定させることができる。このため、素形材に対して所望の造形加工が、より確実に行い得る。
【００１３】
また請求項３記載の発明によれば、翼部の両側に軸部を有した両軸タイプの可変翼を製造対象とし、なお且つ翼部と軸部との間には金属板材の板厚よりも大径となる鍔部を形成するため、鍔部については、出発素材となるブランク材を膨出させる必要があり、極めて困難な加工方法となるが、このような困難性の高い加工を現実のものとする。すなわち、鍔部については、出発素材を盛り上げるように形成しなければならず、このため軸部の長手方向における材料流れを規制する必要があり、極めて難しい製造が強いられるが、これを現実のものとする。なお、一般の型鍛造では、ブランク材を一対の対向型によって挟み込み、この圧縮によってブランク材を全周囲に自由状態に延展させ、所望の形状に形成するものである。つまり鍛造の際には、特に材料の流れ方向を規制しないものであるが、本発明では、可変翼の特異な形状に起因し、材料の流れ方向を規制しなければならず、通常よりも極めて困難性の高い製造手法となる。
【００１４】
また請求項４記載の発明によれば、金属板材につながれる素形材のピッチＬ１を、可変翼（最終製品形状）の翼弦長Ｌに極力近づけるように設定するため、金属板材を有効に利用できる。なお、可変翼が、翼部の両側に板厚よりも大径の鍔部を有する場合、造形時には軸方向に対しては、材料を流なさいように規制しなければならない。つまり、この場合、造形時の材料流れとしては、概ねピッチＬ１方向に許容するものとなり、この意味では、素形材のピッチＬ１を大きくした方が加工性の点では有利となる。しかしながら、本発明では、あえてピッチＬ１を翼弦長Ｌと同じ程度とし、金属板材の歩留り向上を図っている。
【発明を実施するための最良の形態】
【００１５】
本発明の最良の形態は、以下の実施例に述べる通りである。なお、説明にあたっては、まず本発明によって製造される可変翼１を適用したＶＧＳタイプのターボチャージャ（ＶＧＳユニット）における排気ガイドアッセンブリＡについて説明しながら、併せて可変翼１について説明し、その後、本発明の可変翼の製造方法について説明する。
【実施例】
【００１６】
排気ガイドアッセンブリＡは、特にエンジンの低速回転時において排気ガスＧを適宜絞り込んで排気流量を調節するものであり、一例として図１に示すように、排気タービンＴの外周に設けられ実質的に排気流量を設定する複数の可変翼１と、可変翼１を回動自在に保持するタービンフレーム２と、排気ガスＧの流量を適宜設定すべく可変翼１を一定角度回動させる可変機構３とを具えて成るものである。以下各構成部について説明する。
【００１７】
まず可変翼１について説明する。このものは一例として図１に示すように、排気タービンＴの外周に沿って円弧状に複数（一基の排気ガイドアッセンブリＡに対して概ね１０〜１５個程度）配設され、そのそれぞれが、ほぼ同程度ずつ回動して排気流量を調節するものである。可変翼１は、翼部１１と、軸部１２とを具えて成り、以下、これらについて説明する。
【００１８】
まず翼部１１は、主に排気タービンＴの幅寸法に応じて一定幅を有するように形成されるものであり、その幅方向における断面が翼形に形成され、排気ガスＧが効果的に排気タービンＴに向かうように構成されている。なお、ここで図１（ｂ）に示すように、翼部１１の幅寸法を便宜上、翼幅ｈとする。また図２に示すように、翼部１１の翼形断面において肉厚となる端縁を前縁１１ａ、肉薄となる端縁を後縁１１ｂとし、前縁１１ａから後縁１１ｂまでの長さを翼弦長Ｌとする。更にまた、翼部１１には、軸部１２との境界部（接続部）に、軸部１２より幾分大径の鍔部１３が形成される。なお鍔部１３の底面（座面）は、翼部１１の端面と、ほぼ同一平面上に形成され、この平面が可変翼１をタービンフレーム２に取り付けた際の座面となり、排気タービンＴにおける幅方向（翼幅ｈ方向）の位置規制を図る作用を担っている。
【００１９】
一方、軸部１２は、翼部１１と一体的に連続形成されるものであり、翼部１１を動かす際の回動軸となる。なお、本実施例では、翼部１１の両側に軸部１２が形成される、いわゆる両持ちタイプの可変翼１であり、これら両軸部１２を区別して示す場合には、その軸長に因み、長軸部１２ａと短軸部１２ｂとして便宜上区別する。因みに、このような両持ちタイプの可変翼１は、翼部１１の一方のみに軸部１２が形成される、いわゆる片持ちタイプのものに比べ、可変翼１の作動安定性（回動安定性）や強度等を向上させ得る点で有効である。
【００２０】
また長軸部１２ａと短軸部１２ｂとには、軸径よりも幾分大径となる摺動段差１４が部分的に形成される。これは、可変翼１を回動させる際に、タービンフレーム２側の軸受部（後述するタービンフレーム２の受入孔２５）と接触する面であり、これにより可変翼１を回動させる際の摺動抵抗（摩擦抵抗）が抑制され、可変翼１の安定した作動（回動）を図るものである。なお可変翼１は、高温・排ガス雰囲気という過酷な環境下で繰り返し使用されるため、摺動段差１４による摺動抵抗の抑制は、このような厳しい環境下での開閉作動をより安定化させるものである。
【００２１】
更に長軸部１２ａの先端側には、可変翼１の取付状態の基準となる基準面１５が形成される。この基準面１５は、後述する可変機構３に対しカシメ等によって固定される部位であり、一例として図１、２に示すように、軸部１２を対向的に切り欠いた二平面として形成される。また基準面１５の先端部には、ほとんど目立たないが、一例として図８、９に示すように、対向二面をテーパ状に傾斜させた誘い込み１６が形成されるものであり、ここは長軸部１２ａを後述する受動要素３２Ｂに圧入する際の案内ガイドとなる部位である。
【００２２】
なお可変翼１は、一例として翼部１１の前縁１１ａの厚さが約２．７１１ｍｍ、翼幅ｈが約７．４±０．０３ｍｍ、翼弦長Ｌが約１７．４４ｍｍ、鍔部１３の座面が直径約６ｍｍである。また軸部１２の直径が約４．５ｍｍ、基準面１５の対向幅が約２．４５ｍｍである。
【００２３】
次に、タービンフレーム２について説明する。このものは、複数の可変翼１を回動自在に保持するフレーム部材として構成されるものであって、一例として図１に示すように、フレームセグメント２１と保持部材２２とによって可変翼１を挟み込むように構成される。フレームセグメント２１は、可変翼１の長軸部１２ａを受け入れるフランジ部２３と、後述する可変機構３を外嵌めするボス部２４とを具えて成る。なお、このような構造からフランジ部２３の周縁部分には、可変翼１と同数の受入孔２５が等間隔で形成されるものである。
また保持部材２２は、図１に示すように中央部分が開口された円板状に形成されており、本実施例では可変翼１が両軸タイプであるため、この保持部材２２にも可変翼１の短軸部１２ｂを受け入れる受入孔２５が等配される。
そしてこれらフレームセグメント２１と保持部材２２とによって挟み込まれた可変翼１（翼部１１）を、常に円滑に回動させ得るように、両部材間の寸法が、ほぼ一定（概ね可変翼１の翼幅ｈ程度）に維持されるものであり、一例として受入孔２５の外周部分に、四カ所設けられたカシメピン２６によって両部材間の寸法が維持されている。ここで、このカシメピン２６を受け入れるためにフレームセグメント２１及び保持部材２２に開口される孔をピン孔２７とする。
【００２４】
なお、本実施例では、フレームセグメント２１のフランジ部２３は、保持部材２２とほぼ同径のフランジ部２３Ａと、保持部材２２より幾分大きい径のフランジ部２３Ｂとの二つのフランジ部分から成り、これらを同一部材で形成するものであるが、同一部材での形成が難しい場合等にあっては、径の異なる二つのフランジ部を別体で形成しておき、後にカシメ加工やブレージング加工等によって接合することも可能である。
【００２５】
次に可変機構３について説明する。このものはタービンフレーム２のボス部２４の外周側に設けられ、排気流量を調節するために可変翼１を回動させるものであり、一例として図１に示すように、アッセンブリ内において実質的に可変翼１の回動を生起する回動部材３１と、この回動を可変翼１に伝える伝達部材３２とを具えて成るものである。回動部材３１は、図示するように中央部分が開口された略円板状に形成され、その周縁部分に可変翼１と同数の伝達部材３２を等配して成るものである。また、この伝達部材３２は、回動部材３１に回転自在に取り付けられる駆動要素３２Ａと、可変翼１の基準面１５にカシメ等によって固定状態に取り付けられる受動要素３２Ｂとを具えて成るものであり、これら駆動要素３２Ａと受動要素３２Ｂとが接続された状態で、回動が伝達される。具体的には四角片状の駆動要素３２Ａを、回動部材３１に対して回転自在にピン止めするとともに、可変翼１の基準面１５を受動要素３２Ｂに圧入し、かしめるものである。ここで受動要素３２Ｂには、予め駆動要素３２Ａを受け入れ得る略Ｕ字状部が形成されており、この部位に四角片状の駆動要素３２Ａを嵌め込むことにより、双方の係合を図りながら、回動部材３１をボス部２４に取り付けるものである。
【００２６】
なお複数の可変翼１を取り付けた初期状態において、これらを周状に整列させるにあたっては、各可変翼１と受動要素３２Ｂとが、ほぼ一定の角度で取り付けられる必要があり、本実施例においては、主に可変翼１の基準面１５がこの作用を担っている。また回動部材３１を単にボス部２４に嵌め込むだけでは、回動部材３１がタービンフレーム２から僅かに離反した際、伝達部材３２の係合が解除されてしまうことが懸念される。このため、これを防止すべくタービンフレーム２の対向側から回動部材３１を挟むようにリング３３等を設け、回動部材３１に対してタービンフレーム２側への押圧傾向を付与するものである。
このような構成によって、エンジンが低速回転を行った際には、可変機構３の回動部材３１を適宜回動させ、伝達部材３２を介して軸部１２に伝達するものであり、これにより、可変翼１を図１（ａ）に示すように回動させ、排気ガスＧを適宜絞り込んで、排気流量を調節するものである。
【００２７】
本発明によって製造される可変翼１を適用した排気ガイドアッセンブリＡの一例は、以上のように構成されて成り、以下、この可変翼１の製造方法について説明する。
なお、本実施例では、鍔部１３の直径寸法（６ｍｍ）よりも薄く、且つ軸部１２の直径寸法（４．５ｍｍ）よりも厚い板厚（一例として５．２ｍｍ）の金属板材（以下、ストリップ材Ｓとする）から可変翼１の原形となる金属素材（以下、素形材Ｗとする）をブランク取りするものである。その理由は次の通りである。すなわち鍔部１３を形成するだけならば、その直径と等厚素材が最適であるが、翼部圧造時に鍔部１３に材料流れによる盛り上がりが生じるので、若干鍔直径よりも薄めにする必要があると同時に、軸部１２の直径よりも厚くなければ軸部１２の成形が当然不可能となり、更に不等厚の翼部１１の圧縮加工抵抗が極めて大きいために、鍔直径を若干マイナスした値と、軸直径寸法との間に相当する板厚のうち、薄め側にするのが望ましいからである。
【００２８】
また、ブランク取りの際には、ストリップ材Ｓから個々の素形材Ｗを一つひとつ切り離すように打ち抜くのではなく、ストリップ材Ｓの一部に加工対象となる素形材Ｗをつなげたままブランク取りするものである。すなわち、本実施例では、ストリップ材Ｓの一部につなげたままのブランク材（素形材Ｗ）を、順次その後の加工工程に送り、ニヤネットシェイプ状態（最終製品形状に極めて近い状態）までに成形する、いわゆるプログレッシブ加工〔progressive 〕（順送り加工）の形態を採るものである。
【００２９】
具体的には、以下に示す(1) 〜(7) の工程によって、素形材Ｗを最終製品の可変翼１に加工するものであり、このうち(1) 〜(5) までの工程が、プログレッシブ加工によって行われる。
(1) 素形材の準備工程Ｐ１として「形状ブランク工程」
(2) 事前造形工程Ｐ２として「第一造形工程」
(3) 中間トリム工程Ｐ３として「トリム工程」
(4) 最終造形工程Ｐ４として「リストライク工程」
(5) 最終トリム工程Ｐ５として「トリム／セパレート工程」
(6) 切削工程Ｐ６
(7) バレル研磨工程
【００３０】
すなわち、本実施例のプログレッシブ加工は、一例として図３に示すように、上記(1) 〜(5) までの対向型（プレス金型）を順次連続的に配置して加工ラインを構成し、このような加工ラインに対して、ストリップ材Ｓにつながれたままの素形材Ｗを順送りし、ニヤネットシェイプ状態まで成形するものである。なお、図中符号Ｄ１〜Ｄ５は、プログレッシブ加工の各工程に対応した対向型を示すものである。また図中符号ＵＣは、巻回状態のコイル材（ストリップ材Ｓ）を解きほぐすアンコイラーであり、更に図中符号ＬＶは、ほぐされたコイル材の巻き癖やひずみを除去するレベラーである。
因みに、上述したプログレッシブ加工は、一般に加工上の制限、例えば半製品（本実施例では素形材Ｗ）の外周の加工が困難であったり、加工ラインの途中で半製品を反転できない等の制限があり、プレス金型としては極めて高度な技術が要求されるが、比較的小さい部品を高速で送れるため、極めて量産性に優れた加工方法である。
【００３１】
また、このような加工形態に因み、プログレッシブ加工では、各工程を実行するにあたり半製品の位置を正しく決定する必要があり、このため位置決め用の基準孔（パイロット孔ＰＨ）が加工の初期段階で開口されるものであり、例えばブランク取りに先立ち、もしくはブランク取りに併せて行われる（図４参照）。
更に、プログレッシブ加工では、前後の加工工程との関係により、半製品に何も加工を施さず、ただ送りのみを行う、いわゆるアイドルステージを組み込むことが可能である。例えば本実施例では、図３に併せて示すように、一つの加工エリアの約１／３範囲において実際の加工を行い、残りの約２／３範囲をアイドルステージとしている。なお、このようなアイドルステージを加工ラインに組み込むことにより、金型の接近によって生じ得る金型部品の強度不足を防止し、また加工の際に金型に掛かる負荷を軽減できるものである。また、加工途中の素形材Ｗの傾きや加工タイミングの微調整を行ったり、ライン構築後の不測の設計変更などにも備えることができる。以下、各工程について更に説明する。
【００３２】
（１）素形材の準備工程Ｐ１（形状ブランク工程）
この工程は、翼部１１と軸部１２とを一体に有した素形材Ｗ（可変翼１の原形）を準備する工程であり、ここでは上述したようにプログレッシブ加工を行うことから、一例として板厚５．２ｍｍのストリップ材Ｓから不要部（これをスクラップＳＣとする）を打ち抜き、ストリップ材Ｓに一部をつなげたまま素形材Ｗを得るものである（図４参照）。もちろんブランク取りにおいては、素形材Ｗが目的の可変翼１を実現し得るボリューム（体積）を有するように考慮されて、ブランク取りがなされる。
【００３３】
また素形材Ｗのブランク取りにあたっては、一対の対向型Ｄ１を用い、精密打ち抜き手法として知られるファインブラキング加工（以下、ＦＢ加工と略す）によってなされることが好ましい。このＦＢ加工は、被加工材（ストリップ材Ｓ）の剪断輪郭部に高い圧縮力を作用させながら、工具のクリアランスを極めて小さくした、いわゆるゼロクリアランス状態で打ち抜く手法であって、切口面が、板厚全体にわたって極めて平滑で良好な状態に得られる手法である。なお、通常、「ファインブランキング」という用語は、「精密打ち抜き」を示すものであるが、本明細書において「ファインブランキング加工機（ＦＢ加工機）」といった場合には、「精密打ち抜き」以外にも、ファインブランキング装置（ＦＢ装置）を使用した種々の加工、例えばコイニングや型鍛造あるいはトリミング等も含むものとする。
またストリップ材Ｓ（素形材Ｗ）の材質としては、可変翼１の使用環境からＳＵＳ、ＳＵＨ規格などの耐熱ステンレス鋼または耐熱鋼、例えばＳＵＳ３１０Ｓ、ＳＵＳ３０４、ＳＵＳ３１６Ｌ等のステンレス鋼が適用されるが、一般にこのような高Ｎｉ含有ステンレス鋼素材は、塑性加工が行い難い素材であり、従って本実施例における加工も必然的に困難性の高い加工となる。
【００３４】
以下、本実施例におけるブランク取り態様について、より具体的に説明する。本実施例では一例として図４に示すように、ストリップ材Ｓの中央部分に、素形材Ｗをつなぐ背骨状の桟部分Ｂ（骨格部）を形成し、この桟部分Ｂに対して素形材Ｗを対向的につなぎ、ブランク取りを行っている。また、本実施例ではプログレッシブ加工を採用することから、桟部分Ｂに相当する位置に、予めパイロット孔ＰＨが開孔されるものである。
【００３５】
このように、本実施例では素形材Ｗを桟部分Ｂに接続したままブランク取りするものであるが、ストリップ材Ｓから素形材Ｗを一つずつ切り離すように打ち抜くことも可能であるし、予め適宜の形状に打ち抜かれた市販品等のブランク材が適用できれば、これを用意し、素形材Ｗの準備工程Ｐ１とすることも可能である。因みに、素形材Ｗをストリップ材Ｓから一つずつ切り離すようにブランクする、あるいは予め個々に切り離されていたブランク材を素形材Ｗとする場合には、このようなブランク材（素形材Ｗ）を一つひとつフィーダ装置によって以後の工程に送って順次加工を行う、いわゆるトランスファー加工が好ましい。なお、トランスファー加工は、プログレッシブ加工よりも金型上の制限が少ないため、製造ライン上の自由度は増すが、量産性の点ではプログレッシブ加工よりも低いものである。
【００３６】
ここで本発明では、ブランク取りの形状において、以後の工程、主に事前造形工程Ｐ２を考慮した、格別な技術的工夫を施しているので、これについて説明するが、これに付随して、まず本明細書に記載する『造形』について説明する。本明細書では、主として素形材Ｗを全体的に適宜の形状に賦形する加工を鍛造加工（型鍛造）とし、主として素形材Ｗの表面に適宜の形状や模様を付与する加工を圧印加工（コイニング）としており、これらの加工つまり素形材Ｗに対する全体的及び表面的な加工を総称して『造形』としている。なお、本実施例では、このような造形加工として型鍛造を例に挙げている。
【００３７】
そして、一般的な打ち抜き（ブランク取り）では、例えば図５（ｂ）に示すように、概ね翼部１１と軸部１２とを平面投影した形状で、そのまま打ち抜くことが多いが、本発明におけるブランク形状、特に翼部１１は、一例として図４、５（ａ）に示すように、肉厚となる前縁１１ａについては、平面視ほぼ中央部に肉寄せ凹部１７ａを形成し、その後の造形加工の際に、前縁両端部から肉が寄ってきて、この肉寄せ凹部１７ａが最終的に埋まるように考慮している。また、肉薄となる後縁１１ｂについては、平面から視て後縁両端側に肉流し用の凹み１７ｂを形成するとともに、後縁先端側が翼幅ｈよりも充分狭いテーパ状になるように形成し、その後の造形加工の際に、肉が全体的に延展し、後縁先端側が所望の翼幅ｈを形成するように考慮している。このように、本発明では、以後の造形工程の際に、材料が流れ易いブランク形状を解析し、ブランク取りに活かしている。
【００３８】
ここで、本発明において造形工程時の材料流れを、その前段のブランク取りにおいて予め考慮した作用・効果について説明する。
一般に型鍛造では、金属素材（素形材Ｗ）を対向型で圧縮することにより、対向型に形成されているキャビティ内に肉（材料）を満たして所望形状に鍛造するものであり、キャビティ内の材料流れ（方向）としては特に規制されないものである。しかしながら、本実施例では翼部１１の両側に大径の鍔部１３を形成し、しかも、この鍔部１３は、ストリップ材Ｓの板厚よりも大径であるため、軸部１２の長手方向には極力材料を流さないように規制し、鍔部１３を形成する部位については肉を膨出させる（盛り上げる）ように鍛造しなければならない。逆に言えば、本実施例において、一般の鍛造のように軸方向への材料流れも許容してしまうと、鍔部１３の膨出形成が極めて困難となる。このため本発明では、通常の型鍛造よりも、材料流れを充分に考慮したブランク取りを行っている。もちろん適用素材そのものが、極めて塑性加工が行い難い耐熱素材であることも、鍛造時の材料流れを予め考慮する要因となっている。
【００３９】
また本実施例では、素形材Ｗをストリップ材Ｓ（桟部分Ｂ）に、対向的につないだまま順送りするプログレッシブ加工であることに因み、桟部分Ｂに対向的に取り付けられる素形材Ｗについては、一例として図４、５（ａ）に併せ示すように、肉厚の前縁１１ａ側と、肉薄の後縁１１ｂ側とを点対称状態に配置し、送り方向に対して互いに異なる端縁を向けるようにブランク取りしている。
これは、その後の造形加工の際に、対向型の圧縮によって素形材Ｗに作用する逃げ（あばれ）を相殺するためである。すなわち、翼部１１は、前縁１１ａが肉厚、後縁１１ｂが肉薄であるため、全体的に表面が傾斜しており（翼形）、例えば桟部分Ｂに取り付けられる素形材Ｗを、送り方向に対して同じ端縁を向けるように設定すると、素形材Ｗは、対向型で挟み込まれた際に、どうしても翼形表面に沿って逃げ易くなる（肉厚の前縁１１ａ方向に逃げ易くなる）。このため、場合によっては対向型に対する素形材Ｗの加工位置が安定せず、所望の造形加工が行い難くなることも考えられ、従って、本実施例では、送り方向に対して素形材Ｗの端縁を互い違い状態に配し、このような素形材Ｗのあばれを防止し、所望の造形加工が確実に行えるようにしている。
【００４０】
また本実施例では、ブランク取りの際、桟部材Ｂに取り付けられる素形材ＷのピッチＬ１（図４、５（ａ）参照）を、最終製品形状における翼弦長Ｌに極力近づけるものである。具体的には、ストリップ材Ｓの厚さ（軸部１２の径）によっても異なるが、翼弦長Ｌが１７．４４ｍｍの場合、ピッチＬ１を約２０ｍｍ程度に設定している。これを比率で示すとピッチＬ１は翼弦長Ｌのほぼ１．１５倍程度となるが、商業的に意義のある生産を考慮すると、概ね１．２倍程度が望ましい。これは、ＦＢ加工機及びＦＢ加工用金型を用いる順送加工ゆえに可能な数値であって、通常、順送加工では、該比率は１．５倍程度であるから、材料歩留りの向上と生産性の向上とを同時に実現できる点で、極めて有効である。なお、ピッチＬ１は、このように翼弦長Ｌよりも大きく設定されるものであり（Ｌ１＞Ｌ）、これは仮にピッチＬ１を翼弦長Ｌと同じに設定すると（Ｌ１＝Ｌ）、例えば最終造形工程Ｐ４において、加工後、隣り合う素形材Ｗ同士が接触してしまうためである。また、本実施例では、翼部１１の両側に鍔部１３を形成するため、造形時の材料の流れを主にピッチＬ１方向に設定するものであり、この点では、ピッチＬ１を極力大きくとった方が、造形加工も行い易くなる。しかしながら、ピッチＬ１を大きくとれば、ストリップ材Ｓの材料利用率（歩留り）としては低下するため、本実施例では、あえてピッチＬ１をできる限り翼弦長Ｌに近づけ、歩留りの向上を図っている。なお、素形材ＷのピッチＬ１は、プログレッシブ加工においてストリップ材Ｓを送る一回の移送量（移動量）に相当する。
【００４１】
（２）事前造形工程Ｐ２（第一造形工程）
造形工程は、例えばＦＢ装置による一対の対向型によって素形材Ｗを挟み込み、素形材Ｗを所望の形状に形作る工程である。特に、本実施例では二回の型鍛造によって素形材Ｗを、打ち抜き状態（ほぼ四角状断面）からニヤネットシェイプ状態に形成するものであり、この二回の型鍛造のうち、最初の工程を事前造形工程Ｐ２（第一造形工程）、二回目の型鍛造を最終造形工程Ｐ４（リストライク）とするものである。ここで、本明細書に記載する『造形』とは、上述したように、素形材Ｗをニヤネットシェイプ状態に形成するために、このものに表面的に施すコイニング加工や全体的に施す鍛造加工を総称するものである。
【００４２】
なお、事前造形工程Ｐ２では、前縁１１ａから後縁１１ｂまでの羽根形状（翼形）については、最終製品形状に比べて一例として片側僅か０．０５ｍｍ厚い状態を狙って鍛造するものであり、これは事前造形工程Ｐ２において、ある程度の羽根形状を成形しなければ、最終造形工程Ｐ４において最終製品形状を成形しきれないためである。
また、この事前造形工程Ｐ２においては、軸径（一例として直径４．５ｍｍ）と鍔径（一例として直径６ｍｍ）については、この段階から最終製品形状の寸法を狙って鍛造するものであり、これは特に鍔部１３が、ブランク取りするストリップ材Ｓの板厚よりも大きい寸法であるため、事前造形工程Ｐ２において確実に膨出させておかないと、その後、いかに対向型で強固に素形材Ｗを挟み込んでも、周囲に延展するだけで、肉盛り状に突出させることが難しいためである。
【００４３】
因みに、この種の型鍛造においては、通常、キャビティ容積以上の材料（素形材Ｗ）を対向型で強固に圧縮して鍛造するものであり、この際、材料をキャビティ内に充填させながら、余剰の材料を敢えて型の分割面に流出させることにより、素形材Ｗを精緻に所望形状（キャビティ形状）に形成するものである。しかしながら、キャビティ内は、言わば密閉された閉鎖空間であるため、キャビティの形状や寸法等によっては、材料がキャビティ内に充分入り込まないうちに、分割面に流出してしまうことも考えられる。このような場合、分割面付近では、材料は流れ易いが、キャビティ内では材料が流れ難い状況となり、材料が入り込み難いキャビティ内を、材料が流れ易い分割面に対して袋状部位４１とする（図６参照）。
【００４４】
また、ストリップ材Ｓをプログレッシブ加工の各工程にスムーズに送るために、ストリップ材Ｓの表面や対向型の内面等には、摩擦抵抗を減らすための油（潤滑剤Ｏ）が塗布されることが多く、例えば図６（ｃ）に示すように、軸部１２や鍔部１３等の袋状部位４１では、この潤滑剤Ｏが溜まることがあり、キャビティ内での材料の流れを、より阻害する要因となる。
このため本実施例では、例えば図６（ａ）に示すように、対向型Ｄ２の袋状部位４１に、一例として直径約２ｍｍ程度のストレート状の油抜孔４２を形成し、これによりキャビティ内の材料流れを促進するものである。すなわち、軸部１２や鍔部１３等を形成する対向型Ｄ２の袋状部位４１に潤滑剤Ｏが溜まっても、ここに入り込んだ潤滑剤Ｏを、対向型Ｄ２の圧縮作動によって、油抜孔４２から外部に放出するようにし、材料がキャビティ内にスムーズに入り込むようにしている。
なお、油抜孔４２によって対向型Ｄ２の強度低下が懸念される場合には、例えば図６（ｂ）に示すように、油抜孔４２の途中部位に球形孔４３を設け、対向型Ｄ２に掛かる応力を分散させることが可能である。また、油抜孔４２の両側で対向型Ｄ２を分け、別部材として形成することも可能である。
【００４５】
なお、本実施例では、上述したように二回の造形工程を経て、素形材Ｗをニヤネットシェイプ状態に形成するが、必ずしもこれに限定されるものではなく、最終製品の形状やストリップ材Ｓとして適用する金属素材の種類あるいはプレス型の型構造等によっては、三回以上の複数の造形工程を経ることも可能である。その場合、最後の造形工程（最終造形工程Ｐ４）以外は全て事前造形工程Ｐ２となる。
【００４６】
（３）中間トリム工程Ｐ３（トリム工程）
この工程は、例えば事前造形工程Ｐ２において素形材Ｗの周囲（輪郭部）に生じたフラッシュやバリ等、最終造形工程Ｐ４を行うにあたり不必要となる不要部ａを切除する工程である。具体的なトリミング手法としては、例えば一対の対向型Ｄ３によって素形材Ｗを挟み込み、ＦＢ加工機によって不要部ａをトリミングするものである。そして、このようなトリムにより最終造形工程Ｐ４における材料流れを促進し、ニヤネットシェイプ状態をより実現し易くするものである。逆に言えば、事前造形工程Ｐ２において発生したバリ等を切除しないで、そのまま素形材Ｗを最終造形工程Ｐ４に供した場合には、バリ等が材料流れを阻害することがあり、また素材そのものの塑性変形性（塑性流動性）が低いために、素形材Ｗをニヤネットシェイプ状態に形成し難いことが考えられる。
【００４７】
なお本実施例では、最終造形後にもトリミングを行っており、これら二回のトリム作業を区別して示す場合に、最終造形の直前に行うトリミングを中間トリム工程Ｐ３とし、最終造形後に行うトリミングを最終トリム工程Ｐ５としている。
このように本実施例においては、最終造形工程Ｐ４の前にトリミング（中間トリム）を行うものである。因みに通常、複数回の鍛造を行う場合には、最後の鍛造加工が終わった段階で、一回のみトリミングを行い、ニヤネットシェイプ状態の半製品（素形材Ｗ）を得ることが多い。
なお中間トリムでは、事前造形工程Ｐ２においてピッチＬ１方向に拡がったバリ等を切除するため、これが結果的に最終造形工程Ｐ４における材料のピッチＬ１方向への拡がりを抑えることになり、素形材ＷのピッチＬ１を狭めることにも寄与している。
【００４８】
（４）最終造形工程Ｐ４（リストライク工程）
この工程は、造形工程における最終的な形状仕上げ（リストライク）であり、本実施例では一対の対向型Ｄ４を適用し、ＦＢ加工機によって素形材Ｗを型鍛造（造形）するものである。具体的には、事前造形工程Ｐ２において成形した片側０．０５ｍｍ程度厚い羽根形状を、最終製品形状の設定にて成形するものであり、また鍔部１３と軸部１２の成形も行い、軸部１２と羽根形状との位置度を確保（矯正）するものである。
【００４９】
（５）最終トリム工程Ｐ５（トリム／セパレート工程）
この工程は、例えば図４に示すように、最終造形工程Ｐ４によって製品部位（最終製品形状）からはみ出たバリ等の非製品部位ｂを切除する工程である。具体的な加工手法としては、ここでも例えば一対の対向型Ｄ５によって素形材Ｗを挟み込み、ＦＢ加工機によって非製品部位ｂをトリミングするものである。なお、本実施例では、図４、７に示すように、この最終トリム工程Ｐ５において、ストリップ材Ｓ（桟部材Ｂ）からの素形材Ｗの切り離し（セパレート）も行っているため、本工程は実質的にトリム／セパレート工程となる。
【００５０】
また通常、このような切り離し等をプレス加工により行うと、剪断面（ここでは長軸部１２ａの端部）には、図７の拡大図に示すように、ポンチ（切刃）の食い込み、もしくは切り込みによって幾らかのダレ変形（プレスによるダレ）が生じる。このため、本実施例では、この最終トリム工程Ｐ５におけるダレ変形が、最終製品としての可変翼１に出現しないように、予め実際の軸長（長軸部１２ａ）に、ダレ寸法を加えた長さ寸法で軸端部を切り離すようにしている。すなわち、このようなダレ変形はプレス加工において不可避的なものであるため、本実施例では実際の長軸部１２ａを越えた非製品部分にあえてダレ変形を生じさせるようにし、この後の切削工程Ｐ６において、このダレ変形を除去するものである（図８参照）。もちろん、この場合、当初のブランク取りから、予め長軸部１２ａの長さを延長させた形状としてブランク取りを行うものである。
【００５１】
また、このようなことに加え、本実施例では、上述したように実際の長軸部１２ａの端部位置に、基準面１５を対向的に括れさせた誘い込み１６を形成しておき、可変翼１の嵌合部材（上述した受動要素３２Ｂ）への嵌め込みを行い易くし、組み付け性の向上を図るものである。なお、誘い込み１６は、長軸部１２ａのみに形成すればよく、これは、長軸部１２ａが上記受動要素３２Ｂに対し圧入されるためである。すなわち、可変翼１を受動要素３２Ｂに嵌め込むあたっては、力を加えながら長軸部１２ａの先端（基準面１５）を受動要素３２Ｂの孔部に嵌め込むため、この嵌め込みをガイドするための誘い込み１６を設けることは、組み付け性向上において極めて有効となる。しかしながら、もう一方の短軸部１２ｂは、保持部材２２の受入孔２５に遊嵌状態に嵌め込むだけなので、嵌め込み用のガイドは、特に無くても組み付け性向上にそれ程寄与しないものである。
【００５２】
また、本工程においてトリミングされた軸部１２の断面は、図７に併せ示すように長円形となる。これは、トリムによる破断面（切断面）がストレート状になるためである。すなわち、長円形断面の長軸は、最終トリム工程Ｐ５等における対向型Ｄ５の挟み込み方向であり、長円形断面の短軸は、この方向（対向型Ｄ５の挟み込み方向）に直交した方向となる。なお、長円形断面の短軸の長さ（軸部１２のトリミング幅）は、完成品状態での軸径寸法を狙ってトリミングすることが可能である。
またトリミングされた長円形断面の軸部１２は、その後の切削工程Ｐ６において円形に加工されるものであり、つまり厳密には、軸部１２断面における長軸方向と短軸方向とにおいて切削代が異なるものである。
【００５３】
（６）切削工程Ｐ６
この工程は、上述したプログレッシブ加工が終了した後、素形材Ｗの主に軸部１２を切削する工程である。なお、この切削工程Ｐ６においては、(i) 軸端面カット、(ii)軸センター加工、(iii) 軸／翼加工の段階を経るものであり、以下各段階について説明する。
（i)軸端面カット
この段階は、軸部１２の両端部を切削して、長軸部１２ａと短軸部１２ｂの長さ（最終製品長さ）を確保する段階であり、一例として図８に示すように、回転している一対のエンドミルＥＭの間に、最終トリミング終了後の素形材Ｗを通過させ、両軸部１２の端面をカットするものである。この際、長軸部１２ａと短軸部１２ｂとの長さの基準は、翼部１１端面（鍔部１３の座面）となる。そして、この軸端面カットの段階で、上述したように長軸部１２ａのダレ変形が除去されるとともに、基準面１５の最狭部が切削され、誘い込み１６が軸端部に形成される。
なお、本実施例では長軸部１２ａと短軸部１２ｂとを同時に切削するように図示したが、端面カットは、片方ずつ順番に行っても構わない。
【００５４】
（ii) 軸センター加工
この段階は、両軸端面が所定長さにカットされた素形材Ｗの両軸部１２のセンターを加工する段階であり、具体的には両軸部１２の芯出しと、この芯位置にドリリング（もみ付け）がなされる。これには、例えば図９に示すように、Ｖ字状の挟持部を有する一対のチャッキング４５が適用され、このチャッキング４５によって、両軸部１２の円弧面（非トリム面）を各々挟み付け、チャッキング４５（挟持部）の中心位置を軸部１２のセンター位置として検出し、また、この位置にドリリングを行うものである。なお、チャッキング４５によって軸部１２の円弧面（非トリム面）を挟み込むのは、平面状のトリム面を挟持した場合、正確なセンター位置が検出できないことがあり得るためである。
【００５５】
（iii)軸／翼加工
この段階は、例えば図１０に示すように、ドリリングされた両軸部１２（センター位置）を芯押え４６で保持しながら、素形材Ｗ（可変翼１）を回転させて、バイトＣＴにより軸部１２と翼部１１の切削を行う段階である。この際、軸部１２は、一例として半径約０．１５ｍｍ、つまり軸径としては約０．３ｍｍ切削されるものである。なお、ここでの切削により、素形材Ｗは、可変翼１としての翼幅ｈ、軸径、両軸部の同軸度等が仕上げられる。
【００５６】
因みに本実施例では翼部１１の両側に軸部１２が形成されるため、厳密には長軸部１２ａと短軸部１２ｂとの軸芯がずれていると、可変翼１をアッセンブリとして組み付けた状態で、円滑な回動状態は得られない。しかしながら、現実には、上述したように軸部１２は切削されて、最終製品寸法に仕上げられるため、最終造形工程Ｐ４までにおける両軸部１２の軸芯のズレが、この切削代内に収まれば、切削によって両軸部１２の軸芯を合致させることができる。言い換えれば、最終造形工程Ｐ４までにおける軸芯のズレを切削代寸法内に収めれば、この軸芯のズレを最終的な切削によって補正することができるものである。
また、この段階の切削において、両軸部１２に摺動段差１４が確保され、これが摩擦抵抗を抑制した摺動面となり、可変翼１をアッセンブリとして組み付けた際、円滑な回動状態を実現する。
【００５７】
（７）バレル研磨工程
この工程は、切削工程Ｐ６を終了した可変翼１（素形材Ｗ）を全体的に表面研磨する工程であり、例えば可変翼１とメディアと呼ばれる添加剤とをバレル容器に入れ、バレル容器を回転もしくは振動させることによって、可変翼１とメディアとを衝突させて、可変翼１の表面を仕上げるものである。
【図面の簡単な説明】
【００５８】
【図１】本発明によって製造される可変翼を組み込んだＶＧＳタイプのターボチャージャの一例を示す斜視図（ａ）、並びに排気ガイドアッセンブリの一例を示す分解斜視図（ｂ）である。
【図２】本発明によって製造される可変翼の正面図、左側面図、右側面図である。
【図３】連続的に設けた各工程の対向型に対し、ストリップ材を供給し、プログレッシブ加工を行う様子を骨格的に示す説明図である。
【図４】プログレッシブ加工が行われたストリップ材を平面視状態で段階的に示す説明図である。
【図５】可変翼の原形となる素形材をストリップ材からブランク取りする様子を示す斜視図（ａ）、並びに一般的なブランク手法を示す斜視図（ｂ）である。
【図６】対向型の袋状部位に油抜孔を形成したプレス金型を示す説明図（ａ）、（ｂ）、並びに油抜孔を形成しない場合、袋状部位での成形の様子を示す説明図（ｃ）である。
【図７】ストリップ材から切り離された素形材の各部の様子を示す斜視図である。
【図８】ストリップ材から切り離された素形材の長軸部と短軸部とを切削する様子を示す斜視図である。
【図９】両軸部の端部を切削した後、各軸部の軸芯を検出する様子を示す説明図である。
【図１０】両軸部のセンター位置にドリリングを行った後、この位置を保持しながら、バイトによる切削を行い、軸径、摺動段差、翼幅を仕上げる様子を示す説明図である。
【符号の説明】
【００５９】
１        可変翼
２        タービンフレーム
３        可変機構
１１      翼部
１１ａ    前縁
１１ｂ    後縁
１２      軸部
１２ａ    長軸部
１２ｂ    短軸部
１３      鍔部
１４      摺動段差
１５      基準面
１６      誘い込み
１７ａ    肉寄せ凹部
１７ｂ    凹み
２１      フレームセグメント
２２      保持部材
２３      フランジ部
２３Ａ    フランジ部（小）
２３Ｂ    フランジ部（大）
２４      ボス部
２５      受入孔
２６      カシメピン
２７      ピン孔
３１      回動部材
３２      伝達部材
３２Ａ    駆動要素
３２Ｂ    受動要素
３３      リング
４１      袋状部位
４２      油抜孔
４３      球径孔
４５      チャッキング
４６      芯押え
ａ        不要部
ｂ        非製品部位
ｈ        翼幅
Ａ        排気ガイドアッセンブリ
Ｂ        桟部分
Ｄ１      対向型（ブランク取り）
Ｄ２      対向型（事前造形）
Ｄ３      対向型（中間トリム）
Ｄ４      対向型（最終造形）
Ｄ５      対向型（最終トリム）
Ｇ        排気ガス
Ｌ        翼弦長
Ｌ１      ピッチ
Ｏ        潤滑剤
Ｐ１      素形材の準備工程
Ｐ２      事前造形工程
Ｐ３      中間トリム工程
Ｐ４      最終造形工程
Ｐ５      最終トリム工程
Ｐ６      切削工程
Ｓ        ストリップ材
Ｔ        排気タービン
Ｗ        素形材
ＣＴ      バイト
ＥＭ      エンドミル
ＵＣ      アンコイラー
ＬＶ      レベラー
ＰＨ      パイロット孔
ＳＣ      スクラップ
【図１】
0004450774.tif 000002
【図２】
0004450774.tif 000003
【図３】
0004450774.tif 000004
【図４】
0004450774.tif 000005
【図５】
0004450774.tif 000006
【図６】
0004450774.tif 000007
【図７】
0004450774.tif 000008
【図８】
0004450774.tif 000009
【図９】
0004450774.tif 000010
【図１０】
0004450774.tif 000011